(57)【要約】【課題】  太い光ケーブルと細い光ファイバ心線とが混在する収容トレイでも細い心線を断線することなく保護すると共に接続作業が容易にでき、配線の状態をも目視での識別確認を簡便化し、接続処理作業をも安全に行なえることを図る。【解決手段】  コネクタ収納部１と、コネクタＡに接続された分岐光ファイバ心線ｂの心線余長を収納する心線余長収納部２とを備えた成端トレイ３と、分岐光ファイバ心線ｂを配線するための配線用把持具ベース４とをスリーブ５内に設けた光ケーブル接続用クロージャであって、前記コネクタ収納部１が、前記コネクタＡを個別に収納する縦壁６と、収納した前記コネクタＡを縦壁６に上向き若しくは水平方向或いは下向きに回動自在に支持する支持ピン７のあるコネクタ固定ベース８とを設けて、該コネクタ固定ベース８に嵌脱できるコネクタＡに接続される光ファイバ素線或いは光ファイバ外被線を上下傾きで層分け保持するようにした。【選択図】  図１
2008065035.tif 000002
【特許請求の範囲】
【請求項１】
光ファイバ心線を接続するためのコネクタを収納するコネクタ収納部と、前記コネクタに接続された分岐光ファイバ心線の心線余長を収納する心線余長収納部とを備えた成端トレイと、該心線余長収納部に収納されている分岐光ファイバ心線を配線するための配線用把持具ベースとをスリーブ内に設けた光ケーブル接続用クロージャであって、前記コネクタ収納部が、前記コネクタを個別に収納する縦壁と、収納した前記コネクタを縦壁に上向き若しくは水平方向或いは下向きに回動自在に支持する支持ピンのあるコネクタ固定ベースとを設けて、該コネクタ固定ベースに嵌脱できるコネクタに接続される光ファイバ素線或いは光ファイバ外被線を上下傾きで層分け保持するようにしたことを特徴とする光ケーブル接続用クロージャ。
【請求項２】
前記コネクタ収納部が、前記支持ピンを係脱自在に係止するために前記縦壁に設けた係止溝を備え、さらに前記コネクタ固定ベースを係脱自在に係止するために前記縦壁に設けた係止突起に係合する係止凹部を前記コネクタ固定ベースに備えたことを特徴とする請求項１に記載の光ケーブル接続用クロージャ。
【請求項３】
前記コネクタ収納部が、前記コネクタ固定ベースを設置するための前記縦壁に形成される係止溝と、係止突起とが離れた位置で、高さ方向に段差のある上下関係にあって前記コネクタ固定ベースを層分け保持できる構成としたこと特徴とする請求項１または２に記載の光ケーブル接続用クロージャ。
【請求項４】
前記コネクタ収納部が、接続部ホルダを係脱自在に係止するために前記縦壁に設けた多目的溝を並列して備え、該多目的溝を形成する縦壁に接続部ホルダを係止するために飛び出し防止爪と、ガタツキ防止リブを設けたことを特徴とする請求項２または３に記載の光ケーブル接続用クロージャ。
【請求項５】
前記コネクタ固定ベースが、前記コネクタを嵌合支持する嵌合孔を有し、両サイドにつまみ片を備え、該つまみ片に突設した傾斜保持支持ピンと水平保持支持ピンとからなる支持ピンを設け、該支持ピンを前記縦壁に設けた係止溝に嵌入係止してコネクタを前記成端トレイに上向き若しくは水平方向或いは下向きに回動自在に支持することを特徴とする請求項２，３または４のいずれかに記載の光ケーブル接続用クロージャ。
【請求項６】
前記成端トレイが、中央部にコネクタ収納部を形成すると共に、該コネクタ収納部１の片側に隣接して心線余長収納部２が設けられ、片側に配線用把持具ベースと、両側に係脱自在の心線保護シートを配備し、スリーブ内に固定されたフレームに定着されたことを特徴とする請求項５に記載の光ケーブル接続用クロージャ。  
【発明の詳細な説明】
【技術分野】
【０００１】
本発明は、光ケーブルから光ドロップケーブルを家屋に引き込む時に、用いられる光ケーブル接続用クロージャに関するものである。
【背景技術】
【０００２】
従来から、光ファイバケーブルを用いたネットワークの中で通信事業者から加入者宅まで直接光ファイバを引き込む場合、加入者宅近傍には、１心乃至数心程度の光ケーブルが通信事業者のネットワークとして配線されており、光ケーブルからドロップ光ケーブル等によって必要心線を引き落として、加入者宅に引き込まれる。不特定の加入者宅に光ファイバを引き込むために、既設の光ケーブルから接続に必要な余長を取り出し、ドロップ光ケーブルと接続するには、光ケーブル接続用クロージャが使用されている。
この光ケーブル接続用クロージャでは、配線されている光ケーブルに直接取付けクロージャ内部で、光ケーブルの外被を心線から剥ぎ取り、必要心線を切断後取り出してはぎ取り分の余長を活用してドロップ光ケーブルと接続、収納するものである。従って切断しない残りの光ファイバはそのまま繋がれて状態で下流側に行き別の加入者宅への引き落としドロップ光ケーブルとの接続に使用される。  
最近では、サービス開始期間の短縮化や契約の切替えや住居移転の変更等が多くなっててきおり、光ファイバ心線の接続には、着脱自在が容易なコネクタが多用されるようになってきている。
【０００３】
このような光ケーブルの分岐、引き込み、接続などを行なうための光ケーブル接続用クロージャでは、特許文献１に示すようにケーブル心線相互を接続するほか、その接続部とケーブル心線の余長部分を収納するための心線接続余長収納トレイを内装したクロージャが知られている。
【特許文献１】特開２００１−４２１５５号（明細書全文，図面全図参照）
【発明の開示】
【発明が解決しようとする課題】
【０００４】
この従来の光ケーブル接続用クロージャで要求される機能としては、ドロップ光ファイバが引き落とせること、テープ心線タイプのドロップ光ケーブルも引き落とされること、切断された光ファイバ心線を再活用するため、下流側に送る機能などの多種機能が要求されている。例えば、ドロップ光ファイバ（単線）を引き込んでも。数カ月後に解約となった場合、クロージャ内部での切断が必要となったり、また、同じ集合住宅では単心よりも多心（４心や８心）のテープ心線でのドロップケーブルで引き込み建屋内で分岐するほうが効率が良い場合や、地域的に解約が多い所では、切断されたままになっているが下流側に新規加入者の契約が発生した場合には、上流側のクロージャで切断されたものを割り入れして下流側につなぎ込む必要がある。
また、最近ではコネクタの機能が充実して接続部であるつなぎ込む側のコネクタに多種の形態のものが直接つなぐことが出来るようになって細い心線と光ケーブルとが混在する収容トレイでは断線事故が多発しやすい等問題がある。
【０００５】
本発明は、これら従来の不便さを排除しようとするもので、光ケーブルと細い心線とが混在する収容トレイでも細い心線を断線することなく保護するとともに接続作業が容易にできるほか、配線の状態をも目視で容易に確認でき、さらに接続状態の良否の確認も簡便にできて断線防止に威力を発揮できほか接続処理作業をも安全に行なえるし、性能評価のレベルを大幅に向上することができる光ケーブル接続用クロージャをコンパクトで安価な形態で提供することを目的としている。
【課題を解決するための手段】
【０００６】
本発明は、光ファイバ心線を接続するためのコネクタを収納するコネクタ収納部と、前記コネクタに接続された分岐光ファイバ心線の心線余長を収納する心線余長収納部とを備えた成端トレイと、該心線余長収納部に収納されている分岐光ファイバ心線を配線するための配線用把持具ベースとをスリーブ内に設けた光ケーブル接続用クロージャであって、前記コネクタ収納部が、前記コネクタを個別に収納する縦壁と、収納した前記コネクタを縦壁に上向き若しくは水平方向或いは下向きに回動自在に支持する支持ピンのあるコネクタ固定ベースとを設けて、該コネクタ固定ベースに嵌脱できるコネクタに接続される光ファイバ素線の分岐光ファイバ心線或いは光ファイバ外被線の光ケーブルを上下傾きで層分け保持するようにしたことにある。
【０００７】
この光ケーブル接続用クロージャでは、細い光ファイバ素線の分岐光ファイバ心線と光ファイバ外被線の光ケーブルとを上層と下層とに層分けして区別して配線収納処理できるため光ファイバ素線を安全に保護できるほか、配線の区分も確実にできるため配線の整理処理作業も簡便であり、配線の点検や接続の作業性を大幅に改善できるようになっている。即ち、前記成端トレイでのコネクタはコネクタ収納部においてコネクタ固定ベースによって変位可能に配備されていて、所定位置で上下層に変換でき、接続単位で層分けしたもので、心線接続部は固定され、心線余長も曲率半径を確保した上で取り回し収納できるので、心線余長の吸収に自由度を持たせて納められ、伝送特性に悪影響を及ぼすことがない形態で用いられる。
【０００８】
また、本発明では前記コネクタ収納部が、前記支持ピンを係脱自在に係止するために前記縦壁に設けた係止溝を備え、さらに前記コネクタ固定ベースを係脱自在に係止するために前記縦壁に設けた係止突起に係合する係止凹部を前記コネクタ固定ベースに備えたことで、コネクタの係止固定が確実で緩み止めも容易で安全に用いられるようになっている。
さらに、前記コネクタ収納部が、前記コネクタ固定ベースを設置するための前記縦壁に形成される係止溝と、係止突起とが離れた位置で、高さ方向に段差のある上下関係にあって前記コネクタ固定ベースを層分け保持できる構成としたことで、細い心線と太い光ケーブルとを個別に収容することが容易で、組み込み作業も簡便にできるようになっている。
さらにまた、前記コネクタ収納部が、接続部ホルダなどを係脱自在に係止するために前記縦壁に設けた多目的溝を並列して備え、該多目的溝を形成する縦壁に接続部ホルダなどを係止するために飛び出し防止爪と、ガタツキ防止リブを設けたことにより、後分岐タイプのクロージャで要求される多種性能への対応が容易にできるし、成端トレイ内のテープ素線の飛び出しを防止し素線の浮き上がりもなく安全に用いられ、配線の確認も簡易に行え接続作業などの手入れや管理作業も手軽にできるようになっている。
【０００９】
本発明では、前記コネクタ固定ベースが、前記コネクタを嵌合支持する嵌合孔を有し、両サイドにつまみ片を備え、該つまみ片に突設した傾斜保持支持ピンと水平保持支持ピンとからなる支持ピンを設け、該支持ピンを前記縦壁に設けた係止溝に嵌入係止してコネクタを前記成端トレイに上向き若しくは水平方向或いは下向きに回動自在に支持できるので、コネクタ固定ベースの成端トレイへの組付けセットも容易で、収納されているコネクタを押し下げたり、押し上げたりすることもし易いので、光ファイバ素線の分岐光ファイバ心線と光ファイバ外被線の光ケーブルとの層分け操作も簡単であり、しかもコネクタがガタつかずに確実に接続することができ、外被が除去された光ファイバ心線の余長を成端トレイの心線余長収納部に収納すると共に、外被に覆われた光ケーブルの余長は成端トレイの下側に設けられた光ケーブル余長収納部に収納されて区分され、配線干渉もなく光ファイバ素線の破損現象もなく安全性を高めることができる。
【００１０】
本発明では、前記成端トレイが、中央部にコネクタ収納部を形成すると共に、両側に心線保護シートを係脱自在に配備し、スリーブ内に固定されたフレームに定着されたことにより、配線整理も配線確認作業も容易にできるほか、接続する光ファイバ心線の傷つけを防止しするし、光ファイバ心線の保持位置も調整して光ファイバ心線の緩みも良好にすることができて配線施工作業や配線の維持管理が容易である。
【発明の効果】
【００１１】
本発明は、光ファイバ心線を接続するためのコネクタを収納するコネクタ収納部と、前記コネクタに接続された分岐光ファイバ心線の心線余長を収納する心線余長収納部とを備えた成端トレイと、該心線余長収納部に収納されている分岐光ファイバ心線を配線するための配線用把持具ベースとをスリーブ内に設けた光ケーブル接続用クロージャであって、前記コネクタ収納部が、前記コネクタを個別に収納する縦壁と、収納した前記コネクタを縦壁に上向き若しくは水平方向或いは下向きに回動自在に支持する支持ピンのあるコネクタ固定ベースとを設けて、該コネクタ固定ベースに嵌脱できるコネクタに接続される光ファイバ素線或いは光ファイバ外被線を上下傾きで層分け保持するようにしてあるので、光ファイバ素線と光ファイバ外被線との区分配線収納処理が容易にでき光ファイバ素線を安全に保護できるほか、配線の区分も確実にできるため配線の整理処理作業も簡便であり、配線の点検や接続の作業性を大幅に改善できる。
【００１２】
また、本発明では、前記コネクタ収納部が、前記支持ピンを係脱自在に係止するために前記縦壁に設けた係止溝を備え、さらに前記コネクタ固定ベースを係脱自在に係止するために前記縦壁に設けた係止突起に係合する係止凹部を前記コネクタ固定ベースに備えたことで、コネクタの係止固定が確実で緩み止めも容易で安全に用いられるし、さらに前記コネクタ収納部が、接続部ホルダを係脱自在に係止するために前記縦壁に設けた多目的溝を並列して備えているので、後分岐タイプのクロージャで要求される多種性能への対応が容易にできるし、成端トレイ内のテープ素線の飛び出しを防止し素線の浮き上がりもなく安全に用いられ、配線の確認も簡易に行えて接続作業などの手入れや管理作業も手軽にでき光ケーブル接続用クロージャの性能評価のレベルを大幅に向上することができる。
【発明を実施するための最良の形態】
【００１３】
以下、本発明に係る実施形態を図面に基づいて説明する。
図１（Ａ）および図１（Ｂ）は本発明の光ケーブル接続用クロージャに係る第１実施形態を示す横断面図および縦断面図、図２および図３はコネクタ固定ベースを示す図、図４は接続部ホルダを示す図、図５は多目的溝の使用状態を示す図、図６はＳＣアダプタホルダを示す図、図７は心線保護カバーを示す図である。
図１および図２に示す実施形態のケーブル接続用クロージャでは、複数本の光ファイバ心線を有する光ケーブルの任意の点から必要な光ファイバ心線を切り出して分岐ケーブルを接続し、残りの光ファイバ心線は切断せずにそのまま収納しておく後分岐タイプのクロージャとして用いられる。
そして、切断した光ファイバ心線ａを接続するためのコネクタＡを収納するコネクタ収納部１と、前記コネクタＡに接続された分岐光ファイバ心線ｂの心線余長を収納する心線余長収納部２とを備えた成端トレイ３と、該心線余長収納部２に収納されている分岐光ファイバ心線ｂを配線するための配線用把持具ベース４とをスリーブ５内に設けた光ケーブル接続用クロージャであって、前記コネクタ収納部１が、前記コネクタＡを個別に収納する縦壁６と、収納した前記コネクタＡを縦壁６に上向き若しくは水平方向或いは下向きに回動自在に支持する支持ピン７のあるコネクタ固定ベース８とを設けて、該コネクタ固定ベース８に嵌脱できるコネクタＡに接続される光ファイバ素線或いは光ファイバ外被線を上下傾きで層分け保持するようにしてある。
【００１４】
前記光ファイバ心線ａとしては、光ケーブルのスロット溝に収容されている多心例えば４心乃至８心のテープ心線を用いることができ、また分岐ケーブルとしては各家庭に引き込むための単心のドロップ光ファイバやマンション等の集合住宅に引き込むための多心のテープ心線を用いたドロップケーブルを用いることができる。
さらに分岐ケーブルには切断されたままになっている光ケーブル同士を接続するために両端にコネクタが取り付けられた割り入れ用のコードなどを用いることができる。
また、コネクタＡとしてはソケットおよびプラグの両方から構成されるものを用いるし、分岐ケーブルとしていろいろなものを用いるのでプラグの形状も種々のものが使用される。
【００１５】
前記コネクタ収納部１としては、縦壁６を複数間隔をあけて縦格子状に並列配備し、その複数列の各隙間をコネクタＡが差し込めるコネクタ収納部２としてあるが、各隙間の底面に上下に連通する貫通孔６１を形成し該貫通孔６１に嵌め込まれるようにコネクタ固定ベース８を支持ピン７によって回動自在に設けて、コネクタ固定ベース８の隙間内での配置状態を上向き或いは下向きに傾斜変換できるようにしてある。そして前記支持ピン７を係脱自在に係止するために前記縦壁６に単数或いは複数設けた係止溝９を例えば千鳥状に備え、さらに前記コネクタ固定ベース８を係脱自在に係止するために前記縦壁６に設けた係止突起１０に係合する係止凹部１１を前記コネクタ固定ベース８に備えて、該コネクタ固定ベース８が縦壁６に上向き若しくは水平方向或いは下向きに回動自在に支持されるようにしてある。
この場合、前記コネクタ収納部１が、前記コネクタ固定ベース８を設置するための前記縦壁６に形成される係止溝９と、係止突起１０とが離れた位置で、高さ方向に段差のある上下関係にあって、前記コネクタ固定ベース８を層分け保持できる構成として、細い心線と太い光ケーブルとを個別に収容することが容易で、組み込み作業も簡便にできるようになっている。
前記係止突起１０は、図２に示すように縦壁６の両側に対称位置に設けて置き、コネクタ固定ベース８の傾斜方向を上流側或いは下流側いずれににも対応して、即ちドロップケーブル側が下側になるようにコネクタ固定ベース８の係止凹部１１を一方の係止突起１０に係合してるセットできるようにするのが好ましい。
さらに作業上、前記コネクタ固定ベース８の可動操作には素線時〔水平方向保持の上層配置・図２ａ〕では係止突起１０を中心として上方に約２０度程度回動し開放するのがよく〔図２ｂ〕、一方外被時〔下方傾斜保持の下層配置・図２ｃ〕では、係止突起１０を中心として下方に約４５度程度回動し開放するのがよい〔図２ｄ〕。      
【００１６】
前記コネクタ固定ベース８としては、図３に示すように断面逆Ｕ状のプラスチック製の支枠片からなり、前記コネクタＡの押出し用孔を兼ねた嵌合孔８１を有し、両サイドにつまみ片８２を備え、該つまみ片８２に上下に突設した傾斜保持支持ピンと水平保持支持ピンとからなる支持ピン７を設け、該支持ピン７の一つを選んで前記縦壁６に設けた係止溝９に嵌入係止してコネクタ固定ベース８上で嵌合孔８１に嵌入したコネクタＡを前記成端トレイに上向き若しくは水平方向或いは下向きに回動自在に支持するようにしてある。
この支持ピン７の係脱にはつまみ片８２を指先で摘んで引き寄せて縦壁６の間に挿入し係止溝９の位置に合わせて放せば支持ピン７が係止溝９に嵌まることでセットでき、取り外しのときもつまみ片８２を指先で摘んで支持ピン７を係止溝９から外してずらせば良く、その係脱操作を簡単に行うことができる。  
なお、前記係止溝９は並列される縦壁６に千鳥状にずらせて設けておけば前記コネクタ固定ベース８が少しづつずれて配備されコネクタ収納やコネクタの上下向き保持の取り扱い操作が容易になって作業性を良くすることができる。
【００１７】
また、前記コネクタ収納部１は、縦壁６の間にコネクタＡを収容する嵌合溝を複数列例えば６〜８列形成したものからなるが、接続部ホルダＢを係脱自在に係止するために前記縦壁６に設けた多目的溝１２を２列並列して備え、該多目的溝１２を形成する縦壁６に接続部ホルダ１２を係止するために飛び出し防止爪１３と、ガタツキ防止リブ１４を設けて素線把持プラグ１５或いは外被線把持プラグ１６を保持するようにすることもできる。
この場合、通常は多目的溝１２はスプライス固定部１９を設け、スプライスＤを１溝につき４個収納〔２列２段〕できるようにしてあるが、多目的用の接続部ホルダＢを２個取り付けて使用する。〔図４〕  
そして、心線を保留するときには、接続部ホルダＢを取り外して素線把持プラグ１５或いは外被線把持プラグ１６を保持するが、成端トレイ３の上面と下面との両方を利用して、素線把持プラグ１５は成端トレイ３の上面に保留し、外被線把持プラグ１６は成端トレイ３の下面（裏面）に保留するのがよい。この際プラグのラッチ部分が成端トレイの穴に嵌まることで前後の動きを抑制するようになっている。〔図５〕
なお、ＳＣアダプタを配置する必要があるときは、前記多目的溝１２にはＳＣアダプタホルダＥを設置するのがよい。〔図６〕    
さらに、前記コネクタ収納部１にはその一つに全接用ホルダＣ〔２列２段：４接続部収納可〕２４心単心ケーブルにおける全心接続時に６溝に設置し接続部を収納することもできる。
【００１８】
前記コネクタ固定ベース８としては、断面逆Ｕ状のプラスチック製の支枠片からなり、前記コネクタＡの押出し用孔を兼ねた嵌合孔８１を有し、両サイドにつまみ片８２を備え、該つまみ片８２に上下に突設した傾斜保持支持ピンと水平保持支持ピンとからなる支持ピン７を設け、該支持ピン７の一つを選んで前記縦壁６に設けた係止溝９に嵌入係止して、コネクタ固定ベース８上で嵌合孔８１に嵌入したコネクタＡを前記成端トレイに上向き若しくは水平方向或いは下向きに回動自在に支持するようにしてある。例えば、前記つまみ片８２にある下方の支持ピン７を縦壁６の係止溝９に嵌入し、係止凹部１１を縦壁６の係止突起１０に嵌め込めばコネクタ固定ベース８を水平状態で保持されコネクタ固定ベース８上にあるコネクタＡが上層に配置されることになる。〔図２ａ〕
また前記つまみ片８２にある上方の支持ピン７を縦壁６の係止溝９に嵌入し、係止凹部１１を縦壁６の係止突起１０に嵌め込めばコネクタ固定ベース８を下向きの傾斜状態で保持されコネクタ固定ベース８上にあるコネクタＡが下層に配置されることになる。〔図２ｃ〕
そして素線時には前者を選び、外被線時には後者を選んで上下層に区別して収納配線でき、細い心線を保護すると共に作業性をも改善できる。
この場合、コネクタ固定ベース８上のコネクタＡの層分け配備には、コネクタ固定ベース８を設置するための前記縦壁６に形成される係止溝９と、係止突起１０とが離れた位置で、選ばれた上下関係にあることと、コネクタ固定ベース８の両側上下に突設した支持ピン７の選択が配慮されればよい。    
また、前記支持ピン７の係止溝９での係脱には、つまみ片８２を指先で摘んで引き寄せて縦壁６の間に挿入し係止溝９の位置に合わせて放せば、支持ピン７が係止溝９に嵌まることでセットでき、取り外しのときもつまみ片８２を指先で摘んで支持ピン７を係止溝９から外してずらせば良く、その係脱操作を簡単に行うことができる。  
なお、前記係止溝９は並列される縦壁６に千鳥状にずらせて設けておけば、前記コネクタ固定ベース８が少しづつずれて配備されコネクタ収納やコネクタの上下向き保持の取り扱い操作が容易になって作業性を良くすることができる。
【００１９】
本発明での成端トレイ３は、コネクタ収納部１が回動自在のコネクタ固定ベース８を介してコネクタＡを収納するので、コネクタＡを固定する傾きが上方、水平或いは下方により素線或いは外被線を上下で分離して層分けして配線ルートの明確化ができ、多機能要求に対して必要となるコネクタ収納部１を簡単に増設、撤去でき取扱い簡便である。
例えば全心接続する際、８心の場合、中央部に８接続部を収納するコネクタ固定構造にする。また２４心の場合、全接用ホルダをコネクタ収納部の６溝に取付け、２４接続部を収納する接続部固定構造にする。また、表面側中央部に素線プラグ（コネクタ）を２個保留する箇所を有するコネクタ固定構造とする。さらに裏面側中央部に外被線プラグ（コネクタ）を２個保留する箇所を有するコネクタ固定構造とした成端トレイとして用いるのがよく、成端トレイ内での接続作業がし易い位置に変移させてコネクタ固定を行うことができ、且つ、点検、補修作業の簡便化が図れる。
また、前記成端トレイ３は、中央部にコネクタ収納部１を形成すると共に、該コネクタ収納部１の片側に隣接して心線余長収納部２が設けられ、片側に配線用把持具ベース４と両側に係脱自在の心線保護シート１７とを配備し、スリーブ５内に固定されたフレーム１８に定着されている。
図１ａに示す如く成端トレイ３のコネクタ収納部１に隣接する心線余長収納部２は、分岐光ファイバ心線ｂの単心線をプラグに接続している場合に、この単心線の余長を収納するもので、また分岐ケーブルとして４心のテープ心線を有するドロップケーブルを用いる場合には、テープ心線をばらしてコネクタ付けするため、ばらした単心線の余長を心線余長収納部２に収納することになるが、テープ心線の各単心線を別個にコネクタ収納部１に導く際に生ずる長さの差を吸収すると共に各単心線について許容曲げ半径以上の曲げ半径を確保できるようにしてある。
【００２０】
また、前記成端トレイ３に設けられている配線用把持具ベース４はドロップケーブルを把持する部材で、ドロップケーブルの外被を把持し、ドロップケーブルのテープ心線から分離された分岐光ファイバ心線ｂは成端トレイ３の心線余長収納部２に配線される。
【００２１】
さらに成端トレイ３に着脱自在に設けられ心線保護シート１７はプラスチックからなり、スリーブ５内に配線収納される前記光ファイバ心線ａならびに分岐光ファイバ心線ｂをそれぞれ成端トレイ３の上面から被覆して定着保持するために係止部１７１によって係脱自在に備えて心線の浮き上がりやずれがなく配線の安全を確保できるようにしてある。
【００２２】
図１に示すように、スリーブ５内に設置される成端トレイ３の下方にはフレーム１８が水平に設けられており、その下部にはドロップ光ファイバ、ドロップケーブル或いはコードなどの外被のついた光ケーブルを収納でき、この収納された光ケーブルは成端トレイ３の上方へ配線されてコネクタ接続される。
【００２３】
配線されている光ケーブルに分岐ケーブルを接続する心線接続作業では、光ケーブルの接続点付近の外被を除去して光ファイバ心線を露出し、スリーブ５の両端に設けられているケーブル把持部２１に光ケーブルの外被を取り付ける。
次いで、光ファイバ心線のうち接続作業を行うために切断した光ファイバ心線の端部にコネクタＡのソケットを取付ける。
一方分岐ケーブルとして多心のテープ心線を有するドロップケーブルを接続する場合は、ドロップケーブルの端部の外被を適宜長さ除去してテープ心線を露出し、テープ心線に含まれる分岐光ファイバ心線を分離し、各分岐光ファイバ心線の先端にコネクタＡのプラグを取り付けておく。ドロップケーブルは、端面板２０からスリーブ５内に導入され把持具を通り成端トレイ３の片側に設けられている配線用把持具ベース４によりドロップケーブルの外被の端部を把持する。
露出された分岐光ファイバ心線ｂは成端トレイ３の心線余長収納部２に配線され長さを調整してプラグを光ケーブルのソケットに接続し、この接続したプラグとソケットのコネクタＡはコネクタ固定ベース８に定着されて成端トレイ３のコネクタ収納部２に収容される。
このコネクタ固定ベース８は、細い心線の素線時にはコネクタ収納部２の上層に保持し、太い光ケーブルの外被線時にはコネクタ収納部２の下層に保持して上下層に区別して収納して、細い心線を保護するようにしてある。
【００２４】
この場合、前記コネクタ収納部２は図１および図５、図６に示すように接続部ホルダＢ或いは全接用ホルダＣ又はスプライスＤやＳＣアダプタＥを挿入して多目的溝１２として用いて種々の接続形態に対応するようにし、適宜な変形、改良などが容易にきるようにするのがよい。
【００２５】
実施例の光ケーブル接続用クロージャでは、光ファイバ心線ａと分岐ケーブルとを接続するコネクタＡは、コネクタ固定ベース８を介して成端トレイ３のコネクタ収納部１に収納されるので、コネクタＡが確実に保持され、接続ロスがなく安全に維持できるほか、心線の素線時あるいは外被線時に層分け区別してコネクタ収納部１に収納され点検、接続などの作業が簡便に行え、破損し易い光ファイバ心線の安全を確保することができる。
【００２６】
なお、前記光ケーブル接続用クロージャは、コネクタ固定ベース８を設けたコネクタ収納部１と、分岐ケーブル側のコネクタに接続されている外被が除去された分岐光ファイバ心線の余長を収納する心線余長収納部を成端トレイ３に設けて多機能を持たせる構成にしているので、細い分岐光ファイバ心線と太い分岐光ケーブルとを容易に区別して収納でき、接続作業に支障がないようにしてあって光ケーブルから光ドロップケーブルを家屋に引き込む際に用いられる光ケーブル接続用クロージャとして有用である。
【図面の簡単な説明】
【００２７】
【図１】本発明に係る光ケーブル接続用クロージャの一実施形態を示し、（ａ）は横断面図、（ｂ）は縦断面図である。
【図２】図１の例で用いられるコネクタ固定ベースを示し、（ａ）は光ファイバ素線の使用状態の側面図、（ｂ）はその着脱時の開放状態の側面図、（ｃ）は光ファイバ外被線の使用状態の側面図、（ｄ）はその着脱時の開放状態の側面図である。
【図３】図２の例のコネクタ固定ベースを拡大して示し、（ａ）はその平面図、（ｂ）はその側面図、（ｃ）は正面図である。
【図４】図１の例で用いられる接続部ホルダを示し、（ａ）はその使用状態の平面図、（ｂ）はその単体をしめす平面図、（ｃ）はその側面図である。
【図５】図１の例で用いられる多目的溝の一使用状態を示し、（ａ）はその平面図、（ｂ）はその側面図、（ｃ）はその底面図である。
【図６】図１の例で用いられる多目的溝にＳＣアダプタホルダを用いた一使用状態を示し、（ａ）はその通常時（ＳＣアダプタなしで多目的溝用蓋として用いる）状態の側面図、（ｂ）はＳＣアダプタ取付時状態の側面図、（ｃ）はそのＳＣアダプタホルダの平面図、側面図、正面図である。
【図７】図１の例で用いられる心線保護カバーを示し、（ａ）はその平面図、（ｂ）はその正面図、（ｃ）はその側面図である。
【符号の説明】
【００２８】
Ａ    コネクタ
Ｂ    接続部ホルダ
Ｃ    全接用ホルダ
Ｄ    スプライス
Ｅ    ＳＣアダプタホルダ
ａ    光ファイバ心線  
ｂ    分岐光ファイバ心線
ｃ    通過心線
１    コネクタ収納部
２    心線余長収納部
３    成端トレイ
４    配線用把持具ベース
５    スリーブ
６    縦壁
７    支持ピン        
８    コネクタ固定ベース
８１  嵌合孔  
８２  つまみ片    
９    係止溝
１０    係止突起
１１    係止凹部  
１２    多目的溝
１３    飛び出し防止爪
１４    ガタツキ防止リブ
１５    素線把持プラグ
１６    外被線把持プラグ
１７    心線保護シート
１７１  係止部
１８    フレーム
１９    スプライス固定部
２０    端面板
２１    ケーブル把持部
２２    ケーブルＴＭ把持部
２３    通過心線ガイド
【図１】
2008065035.tif 000003
【図２】
2008065035.tif 000004
【図３】
2008065035.tif 000005
【図４】
2008065035.tif 000006
【図５】
2008065035.tif 000007
【図６】
2008065035.tif 000008
【図７】
2008065035.tif 000009